【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
撮像装置であって、
周期的に省電力状態となるアクセサリ装置と無線通信を行う無線通信手段と、
撮像条件を決定するための撮像準備動作を指示する第１の操作と、前記撮像準備動作に基づく撮像を指示する第２の操作とを受け付ける操作手段とを有し、
前記無線通信手段は、前記操作手段により前記第１の操作または第２の操作が受け付けられたことに応じて、前記アクセサリ装置における省電力状態の設定を変更する変更信号を前記アクセサリ装置に送信することを特徴とする撮像装置。
【請求項２】
前記無線通信手段は、前記操作手段により前記第１の操作または第２の操作が受け付けられたことに応じて、前記アクセサリ装置が省電力状態である省電力期間を短くするための変更信号を送信することを特徴とする請求項１に記載の撮像装置。
【請求項３】
前記無線通信手段は、前記操作手段により前記第１の操作または第２の操作が受け付けられたことに応じて、前記アクセサリ装置が省電力状態である省電力期間をゼロにするための変更信号を送信する請求項１に記載の撮像装置。
【請求項４】
前記無線通信手段は、前記第１の操作が受け付けられたことに応じて、前記アクセサリ装置が省電力状態である省電力期間を、第１の期間から前記第１の期間よりも短い第２の期間に変更するための変更信号を送信することを特徴とする請求項１に記載の撮像装置。
【請求項５】
前記無線通信手段は、前記第１の操作が解除された場合に、前記省電力期間を前記第１の期間に戻すための変更信号を送信することを特徴とする請求項４に記載の撮像装置。
【請求項６】
前記無線通信手段は、前記第２の操作が受け付けられたことに応じて、前記省電力期間を前記第２の期間よりも短い第３の期間に変更するための変更信号を送信することを特徴とする請求項４または５に記載の撮像装置。
【請求項７】
前記無線通信手段は、前記第２の操作が解除された場合に、前記省電力期間を前記第２の期間に変更するための変更信号を送信することを特徴とする請求項６に記載の撮像装置。
【請求項８】
前記無線通信手段は、前記省電力期間が前記第１の期間である間に前記第２の操作が受け付けられた場合、前記省電力期間を前記第１の期間から前記第３の期間に変更するための変更信号を送信することを特徴とする請求項６または７に記載の撮像装置。
【請求項９】
前記第２の操作が継続されている間は、前記省電力期間は前記第３の期間であることを特徴とする請求項６乃至８のいずれか１項に記載の撮像装置。
【請求項１０】
前記省電力期間が前記第１の期間よりも長い第４の期間である複数の前記アクセサリ装置から、制御対象とするものを選択する選択手段をさらに有し、
前記無線通信手段は、前記選択手段により選択されたアクセサリ装置に対して、前記第４の期間から前記第１の期間に変更するための変更信号を送信する請求項２乃至９のいずれか１項に記載の撮像装置。
【請求項１１】
複数の前記アクセサリ装置から制御対象とするものを選択する選択手段をさらに有し、
前記無線通信手段は、前記アクセサリ装置が前記省電力状態でない期間に同期通信を行っており、
前記選択手段により複数の前記アクセサリ装置が選択され、かつそれぞれの同期通信のタイミングが異なる場合、前記無線通信手段は、選択された前記アクセサリ装置のすべてと同期通信するまでの間、選択された前記アクセサリ装置を省電力状態に移行させないための信号を送信することを特徴とする請求項１乃至９のいずれか１項に記載の撮像装置。
【請求項１２】
アクセサリ装置であって、
撮像装置と無線通信を行う無線通信手段と、
前記アクセサリ装置を周期的に省電力状態とする状態制御手段とを有し、
前記無線通信手段により、前記省電力状態の設定を変更するための信号である変更信号を前記撮像装置から受信した場合、前記状態制御手段は前記省電力状態の設定を変更し、
前記変更信号は、撮像条件を決定するための撮像準備動作を指示する第１の操作または前記撮像準備動作に基づく撮像を指示する第２の操作が前記撮像装置において受け付けられたことに応じて送信されることを特徴とするアクセサリ装置。
【請求項１３】
撮像装置の制御方法であって、
周期的に省電力状態となるアクセサリ装置と無線通信を行う無線通信ステップと、
撮像条件を決定するための撮像準備動作を指示する第１の操作と、前記撮像準備動作に基づく撮像を指示する第２の操作とを受け付ける操作受付ステップとを有し、
前記無線通信ステップでは、前記操作受付ステップにより前記第１の操作または第２の操作が受け付けられたことに応じて、前記アクセサリ装置における省電力状態の設定を変更する変更信号を前記アクセサリ装置に送信することを特徴とする撮像装置の制御方法。
【請求項１４】
アクセサリ装置の制御方法であって、
撮像装置と無線通信を行う無線通信ステップと、
前記アクセサリ装置を周期的に省電力状態とする状態制御ステップとを有し、
前記無線通信ステップにより、前記省電力状態の設定を変更するための信号である変更信号を前記撮像装置から受信した場合、前記状態制御ステップでは前記省電力状態の設定を変更し、
前記変更信号は、撮像条件を決定するための撮像準備動作を指示する第１の操作または前記撮像準備動作に基づく撮像を指示する第２の操作が前記撮像装置において受け付けられたことに応じて送信されることを特徴とするアクセサリ装置の制御方法。
【請求項１５】
撮像装置を制御するためのプログラムを記録したコンピュータ読み取り可能な記憶媒体であって、
周期的に省電力状態となるアクセサリ装置と無線通信を行う無線通信ステップと、
撮像条件を決定するための撮像準備動作を指示する第１の操作と、前記撮像準備動作に基づく撮像を指示する第２の操作とを受け付ける操作受付ステップとをコンピュータに実行させ、
前記無線通信ステップでは、前記操作受付ステップにより前記第１の操作または第２の操作が受け付けられたことに応じて、前記アクセサリ装置における省電力状態の設定を変更する変更信号を前記アクセサリ装置に送信することを特徴とするプログラムを記録したコンピュータ読み取り可能な記憶媒体。
【請求項１６】
アクセサリ装置を制御するためのプログラムを記録したコンピュータ読み取り可能な記憶媒体であって、
撮像装置と無線通信を行う無線通信ステップと、
前記アクセサリ装置を周期的に省電力状態とする状態制御ステップとをコンピュータに実行させ、
前記無線通信ステップにより、前記省電力状態の設定を変更するための信号である変更信号を前記撮像装置から受信した場合、前記状態制御ステップでは前記省電力状態の設定を変更し、
前記変更信号は、撮像条件を決定するための撮像準備動作を指示する第１の操作または前記撮像準備動作に基づく撮像を指示する第２の操作が前記撮像装置において受け付けられたことに応じて送信されることを特徴とするプログラムを記録したコンピュータ読み取り可能な記憶媒体。
【手続補正２】
【補正対象書類名】明細書
【補正対象項目名】発明の名称
【補正方法】変更
【補正の内容】
【発明の名称】撮像装置、アクセサリ装置及び制御方法
【手続補正３】
【補正対象書類名】明細書
【補正対象項目名】００１１
【補正方法】変更
【補正の内容】
【００１１】
本発明の撮像装置は、周期的に省電力状態となるアクセサリ装置と無線通信を行う無線通信手段と、撮像条件を決定するための撮像準備動作を指示する第１の操作と、前記撮像準備動作に基づく撮像を指示する第２の操作とを受け付ける操作手段とを有し、前記無線通信手段は、前記操作手段により前記第１の操作または第２の操作が受け付けられたことに応じて、前記アクセサリ装置における省電力状態の設定を変更する変更信号を前記アクセサリ装置に送信することを特徴とする。